(57)【要約】【課題】複雑窩洞を歯冠修復する際に、既存のくさびや歯間離間器を使用することなく、隣在歯とのコンタクトポイントでの適切なコンタクト圧を簡便かつ確実に得ることができる歯冠修復用チップ及び歯冠修復用チップを使用した歯冠修復方法を提供する。【解決手段】歯冠修復用チップ１は、円柱形状または角柱形状の主軸部２と、主軸部２の一端部に設けられた丸みを帯びたヘッド部４と、主軸部２の長手方向に直交する方向に一体に立設された把持部３とを備え、窩洞に充填する充填剤と同質の材料で作製される。歯冠修復用チップ１を使用し、ヘッド部４を隣在歯に圧接させた状態で患歯の窩洞に仮着して歯冠修復を行う。【選択図】図１
2014018466.tif 000002
【特許請求の範囲】
【請求項１】
円柱形状または角柱形状の主軸部と、
前記主軸部の一端部に設けられた丸みを帯びたヘッド部と、
前記主軸部の長手方向に直交する方向に一体に立設された把持部と
を備え、
窩洞に充填する充填剤と同質の材料で作製されることを特徴とする歯冠修復用チップ。
【請求項２】
前記把持部は、前記主軸部との接合部の径の一部を薄くした形態であることを特徴とする請求項１に記載の歯冠修復用チップ。
【請求項３】
前記主軸部は、軸の長手方向に対して曲った形態であることを特徴とする請求項１または請求項２に記載の歯冠修復用チップ。
【請求項４】
円柱形状または角柱形状の主軸部と、
前記主軸部の一端部に設けられた丸みを帯びたヘッド部と
を備え、
窩洞に充填する充填剤と同質の材料で作製されることを特徴とする歯冠修復用チップ。
【請求項５】
前記主軸部は、前記ヘッド部の付け根に近い部分の径の一部または全部を小さくした形態であることを特徴とする請求項４に記載の歯冠修復用チップ。
【請求項６】
前記充填剤は、コンポジットレジンであることを特徴とする請求項１ないし請求項５のいずれか１項に記載の歯冠修復用チップ。
【請求項７】
請求項１ないし６のいずれか１項に記載の歯冠修復用チップを使用した歯冠修復方法であって、
患歯の窩洞に未硬化の充填剤を盛る工程と、
前記歯冠修復用チップのヘッド部を隣在歯に圧接させ、前記歯冠修復用チップの一部を前記未硬化の充填剤に埋入させた状態で、前記未硬化の充填剤を硬化させ、前記歯冠修復用チップを前記窩洞に仮着する工程と、
前記隣在歯に圧接する前記ヘッド部の圧力を確認・調整する工程と、
前記窩洞に充填剤を充填して前記歯冠修復用チップを修復物内に埋入する工程と
を含むことを特徴とする歯冠修復用チップを使用した歯冠修復方法。
【発明の詳細な説明】
【技術分野】
【０００１】
本発明は歯冠修復用チップ及び歯冠修復用チップを使用した歯冠修復方法に関し、特に、複雑窩洞を修復する際に、隣在歯とのコンタクトポイントでの適切なコンタクト圧を簡便かつ確実に得ることができる歯冠修復用チップ及び歯冠修復用チップを使用した歯冠修復方法に関する。
【背景技術】
【０００２】
従来、歯科治療において、咬合面から隣接面にかけて大きく開口した複雑窩洞を修復する場合、修復部分の印象採得をし、それによって作製された作業模型上で作製されたインレー（詰め物）によって修復するケースが多い。このような歯冠修復に使用するインレーの材質は、従来の金銀パラジウム合金などの金属の他、セラミックやハイブリッドが歯科分野で多用されている（例えば、特許文献１参照）。
更に、アクリル系の重合性単量体と無機フィラーからなるコンポジットレジン（以下、ＣＲと記すこともある）と呼ばれる高粘度型の複合材料が用いられる場合がある（例えば、特許文献２参照）。その使用方法は、歯の窩洞に歯科用充填器と呼ばれる専用の充填器等を用いて充填し、光照射等の重合手段により重合硬化させて歯冠の修復を行う。
特に近年では、ＣＲの器械的な強度の向上、接着力の向上により、その応用範囲は広がる傾向にあり、今後益々の適応症の拡大が予想される。
【０００３】
また、歯冠がカリエス（ｃａｒｉｅｓ）に侵される前の段階において、隣在歯（患歯の隣りに在る歯）に触れていた部分（コンタクトポイント）の形態をＣＲによって修復する場合、ＣＲを窩洞に充填し硬化させる間、ＣＲが適切な形態を維持するために、ＣＲの周りを取り囲むストリップスが必要になる。このストリップスはＣＲを硬化させるために必要な光を透過させるために、セルロイド等の透明な素材で作られている。また、ストリップスには歯冠形態の膨隆（膨らみ）を付与された物もある。
隣接する歯と歯の接触は、食片の圧入などを防ぐために適切な圧力（コンタクト圧）で接触していなければならない。このような状態をＣＲで再現する場合、歯間に挿入したストリップス自体の厚みが問題になる。そのため、通常は、ストリップスを修復する歯に巻き付けた後、接触する歯との間に、くさび等の歯間離開器を用い、ストリップスの厚みの分だけ、歯と歯を押し広げる。そして、ＣＲを窩洞に充填し、重合硬化させた後、ストリップスを除去すると、隣在歯とのコンタクトポイントでの適切なコンタクト圧が得られる。
【先行技術文献】
【特許文献】
【０００４】
【特許文献１】特表平１１−５０２７３３号公報
【特許文献２】特開２００１−１３９４１１号公報
【発明の概要】
【発明が解決しようとする課題】
【０００５】
しかしながら、上記したような従来の方法では、隣接する歯と歯が適切な圧力で接触するように、常に適切なコンタクト圧を再現することは技術的に難易度が高い。また、くさびや歯間離開器が歯間乳頭に接触すると、出血の可能性もあり、精密なＣＲの充填が出来なくなる可能性をおびている。
【０００６】
本発明は、上記した課題を解決するものであり、咬合面から隣接面にかけて開口した複雑窩洞に充填剤（例えば、コンポジットレジン）を充填して歯冠修復する際に、既存のくさびや歯間離間器を使用することなく、隣在歯とのコンタクトポイントでの適切なコンタクト圧を簡便かつ確実に得ることができる歯冠修復用チップ及び歯冠修復用チップを使用した歯冠修復方法を提供することを目的とする。
【課題を解決するための手段】
【０００７】
上記目的を達成するため、第１の観点では、本発明は、円柱形状または角柱形状の主軸部（２，８）と、前記主軸部の一端部に設けられた丸みを帯びたヘッド部（４）と、前記主軸部の長手方向に直交する方向に一体に立設された把持部（３，２３）とを備え、窩洞に充填する充填剤と同質の材料で作製されることを特徴とする歯冠修復用チップ（１，１Ｂ，１Ｃ）を提供する。
【０００８】
上記第１の観点による歯冠修復用チップでは、隣在歯とのコンタクトポイントを適切に修復するために必要な歯冠修復補助部材を提供できる。また、把持部を根充用ピンセット等で把持して、歯冠修復用チップを複雑窩洞にセットすることができる。
【０００９】
第２の観点では、本発明は、前記第１の観点による歯冠修復用チップにおいて、前記把持部（２３）は、前記主軸部との接合部（７）の径の一部を薄くした形態であることを特徴とする。これにより、把持部が接合部で折れ易くなるので、不要となった把持部を折って、容易に除去することができる。
【００１０】
第３の観点では、本発明は、前記第１または前記第２の観点による歯冠修復用チップにおいて、前記主軸部（８）は、軸の長手方向に対して曲った形態であることを特徴とする。これにより、複雑窩洞の各種の形状や大きさのものに対応することができる。
【００１１】
第４の観点では、本発明は、円柱形状または角柱形状の主軸部（２）と、前記主軸部の一端部に設けられた丸みを帯びたヘッド部（４）とを備え、窩洞に充填する充填剤と同質の材料で作製されることを特徴とする歯冠修復用チップ（１Ａ）を提供する。
【００１２】
上記第４の観点による歯冠修復用チップでは、隣在歯とのコンタクトポイントを適切に修復するために必要な歯冠修復補助部材を提供できる。
【００１３】
第５の観点では、本発明は、前記第４の観点による歯冠修復用チップにおいて、前記主軸部（２）は、前記ヘッド部の付け根に近い部分の径の一部または全部を小さくした形態であることを特徴とする。これにより、把持部を除去する必要がなくなるので、その分の歯冠修復の処理工程を省くことができる。
【００１４】
第６の観点では、本発明は、前記第１ないし前記第５のいずれかの観点による歯冠修復用チップにおいて、前記充填剤は、コンポジットレジンであることを特徴とする。これにより、コンポジットレジンで作製された歯冠修復用チップを、複雑窩洞の修復物として充填したコンポジットレジンの一部として修復するので、複雑窩洞を同質の材料による修復物で修復することができる。
【００１５】
第７の観点では、本発明は、前記第１ないし前記第６のいずれかの観点による歯冠修復用チップを使用した歯冠修復方法であって、患歯の窩洞に未硬化の充填剤を盛る工程と、前記歯冠修復用チップのヘッド部を隣在歯に圧接させ、前記歯冠修復用チップの一部を前記未硬化の充填剤に埋入させた状態で、前記未硬化の充填剤を硬化させ、前記歯冠修復用チップを前記窩洞に仮着する工程と、前記隣在歯に圧接する前記ヘッド部の圧力を確認・調整する工程と、前記窩洞に充填剤を充填して前記歯冠修復用チップを修復物内に埋入する工程とを含むことを特徴とする歯冠修復用チップを使用した歯冠修復方法を提供する。
【００１６】
上記第７の観点による歯冠修復用チップを使用した歯冠修復方法では、咬合面から隣接面にかけて開口した複雑窩洞にコンポジットレジンを充填して歯冠修復する際に、隣在歯とのコンタクトポイントでの適切なコンタクト圧を簡単かつ確実に再現することができる。
【発明の効果】
【００１７】
以上のように、本発明によれば、咬合面から隣接面にかけて開口した複雑窩洞に充填剤（例えば、コンポジットレジン）を充填して歯冠修復する際に、既存のくさびや歯間離間器を使用することなく、隣在歯とのコンタクトポイントでの適切なコンタクト圧を簡便かつ確実に得ることができる。
【図面の簡単な説明】
【００１８】
【図１】本発明の第１実施形態に係る歯冠修復用チップを示す斜視図である。
【図２】本発明に係る歯冠修復用チップを使用した歯冠修復方法を説明する図であって、（ａ）は歯冠修復の準備処理をした状態、（ｂ）は歯面処理をした状態を示す図である。
【図３】本発明に係る歯冠修復用チップを使用した歯冠修復方法を説明する図であって、（ａ）は歯冠修復用チップをセットした状態、（ｂ）は充填処理を行う状態を示す図である。
【図４】本発明に係る歯冠修復用チップを使用した歯冠修復方法を説明する図であって、歯冠修復用チップを修復物内に埋入する状態を示す図である。
【図５】本発明に係る歯冠修復用チップを使用した歯冠修復方法の処理工程を示すフローチャートである。
【図６】本発明の第２実施形態に係る歯冠修復用チップを示す側面図である。
【図７】本発明の第３実施形態に係る歯冠修復用チップを示す斜視図である。
【図８】本発明の第４実施形態に係る歯冠修復用チップを示す斜視図である。
【発明を実施するための形態】
【００１９】
以下、添付図面を参照して本発明の実施形態について詳細に説明する。なお、本発明の実施形態における構成要素は適宜、既存の構成要素等との置き換えが可能であり、また、他の既存の構成要素との組合せを含む様々なバリエーションが可能である。したがって、本発明の実施形態の記載をもって、特許請求の範囲に記載された発明の内容を限定するものではない。
【００２０】
［第１実施形態］
＜歯冠修復用チップ＞
図１は本発明の第１実施形態に係る歯冠修復用チップ１を示す斜視図である。
図１に示すように、歯冠修復用チップ（コンタクトチップ）１は、重合硬化されたコンポジットレジンにて作製されたＴ字型チップであって、Ｔ字の横棒部分に相当する主軸部２と、Ｔ字の縦棒部分に相当する把持部３とで構成する。
【００２１】
主軸部２は、円柱形状または角柱形状で、その一端部は丸みを帯びたヘッド部４で、その他端部は形状を特定しない任意の形態の自由端５である。ヘッド部４は、最終的に隣在する歯と圧接された状態でもストリップスが挿入しやすいよう、球状あるいは半球状とする。また、自由端５は、後述するように、歯冠修復の際に、最初にＣＲの泥中に埋入されて、ＣＲにより歯質と接着（仮着）される。
【００２２】
主軸部２の長さは、大臼歯の近遠心方向の幅の解剖学上の平均値の１／２程度が望ましく、歯や窩洞の大きさにより自由端３を削合して、長さを調整できるようにする。
ここで、「近遠心方向」とは、上下顎の歯の並びの方向のことであり、「大臼歯の近遠心方向の幅」とは、歯の並び方向における大臼歯の横幅のことである。また、「近心」とは、隣接する歯の並びにおいて、体の左右の真ん中のライン（これを「正中」という）に近い側のことで、「遠心」とは、正中から遠い側のことである。
【００２３】
把持部３は、円柱形状で、主軸部２のほぼ中央部分に、軸の長手方向に直交する方向に一体に立設する。この把持部３は、歯冠修復の際に、根充用ピンセット等で把持しやすい直径にする。
また、歯冠修復用チップ１の色調は、審美上の要求から多様な色調であることが望ましい。例えば、天然の歯の色に近い各種の色を有する素材を使用するとよい。
【００２４】
上記した歯冠修復用チップ１によれば、後述する歯冠修復において、ストリップスを使用して隣接面の歯冠形態を再現する以前の工程で、ストリップスを使用することなく、隣在歯とのコンタクトポイントを、コンポジットレジンで適切に修復するために必要なチップ（歯冠修復補助部材）を提供できる。
【００２５】
＜歯冠修復方法＞
以下、上記した歯冠修復用チップ（コンタクトチップ）１を使用した歯冠修復方法について、図２ないし図５に基づき詳細に説明する。
ここでは、便宜上、下顎左側第１大臼歯の咬合面から近心側の隣接面にかけて開口した複雑窩洞で、隣接する第２小臼歯とのコンタクト（適切な圧力での接触）を回復する修復方法について説明する。
【００２６】
（１）まず、図２（ａ）に示すように、局所麻酔下において、患歯である第１大臼歯１１のカリエスの軟化象牙質除去や旧修復物（インレーなど）の除去を終えて、隣接する第２小臼歯１２との隣接面に開口した複雑窩洞１３を形成し、コンポジットレジンによって歯冠修復を行える状態にする。このように歯冠修復の準備処理をして、複雑窩洞１３に本発明に係る歯冠修復用チップ１を使用して歯冠修復を行う（図５に示す処理工程のフローチャートにおけるステップＳ３１）。
【００２７】
（２）次に、歯冠修復の通常処理工程により、複雑窩洞１３に防湿を行って乾燥状態にし、ボンディング等の歯面（被着面）処理を行う。図２（ｂ）に示すように、複雑窩洞１３の窩底面１３ａに流動性の高いコンポジットレジン（ＣＲ）１４を盛る。この時、盛ったＣＲ１４には光照射せず、ＣＲ１４は重合硬化させない流動性の高い状態のままにしておく（図５のステップＳ３２）。
【００２８】
（３）次に、歯冠修復用チップ１を複雑窩洞１３にセットする。図３（ａ）に示すように、歯冠修復用チップ１の把持部３を根充用ピンセット１５等で把持し、ヘッド部４を隣在歯である第２小臼歯１２のコンタクトポイント（押圧点）１６に圧接する。この時、歯冠修復用チップ１の主軸部２は近遠心方向Ａに平行になるようにし、その自由端５は窩底面１３ａに盛った未重合のＣＲ１４の泥中に埋入させる。これにより、歯冠修復用チップ１を、ＣＲ１４により歯質と接着する。
【００２９】
そして、把持部３を把持している根充用ピンセット１５を持つ手と逆の手でピンセット１７等の器具を持ち、患歯（第１大臼歯）１１の歯質を遠心方向Ｂに加圧して圧接したままの状態で、アシスタント（歯科衛生士など）に指示して、光照射をしてＣＲ１４を重合硬化させる。これにより、歯冠修復用チップ１を患歯（第１大臼歯）１１の複雑窩洞１３に仮着する（図５のステップＳ３３）。
この時の隣在歯（第２小臼歯）１２の方向（近心方向Ｃ）に圧接する力と、患歯（第１大臼歯）１１を遠心方向Ｂに押す力の合力が最終的な修復物のコンタクト圧になるので、コンタクト圧を容易に調整しやすい。
【００３０】
（４）次に、患歯（第１大臼歯）１１に固定された歯冠修復用チップ１のヘッド部４と隣在歯（第２小臼歯）１２のコンタクト圧が適正か否かを、デンタルフロス等で確認する（図５のステップＳ３４）。
もしも、コンタクト圧が適正でなければ（図５のステップＳ３４でＮＯのとき）、ステップＳ３５に進み、コンタクト圧が強い場合は（図５のステップＳ３５でＹＥＳのとき）、研摩用ストリップスを使ってヘッド部４を磨くなどすることで、コンタクト圧を容易に調整することができる（図５のステップＳ３６）。そして、コンタクト圧を調整した後、再び、コンタクト圧が適正か否かを確認する（図５のステップＳ３４）。
また、コンタクト圧が弱い場合は（図５のステップＳ３５でＮＯのとき）、歯冠修復用チップ１を取り外し、再び、図５のステップＳ３２に戻り、複雑窩洞１３の歯面（被着面）処理からやり直すことになる。
【００３１】
（５）次に、ステップＳ３４において、コンタクト圧に問題がなく、良好なコンタクト圧が確認できれば、ステップＳ３７へ進み、充填処理を行う。図３（ｂ）に示すように、まずは、歯冠修復用チップ１のヘッド部４と隣在歯（第２小臼歯）１２とのコンタクトポイント１６との間にストリップス１８を圧入（挿入）する。ストリップス１８は歯冠の膨隆（膨らみ）を付与したものが望ましい。この時、患歯（第１大臼歯）１１と隣在歯（第２小臼歯）１２はストリップス１８の厚みの分だけ離開される。
【００３２】
（６）次に、図４に示すように、ストリップス１８の両端を患歯（第１大臼歯）１１の頬に近い側の側面と舌に近い側の側面（すなわち、歯の並び方向に対して直交する両側面）に固定し、修復すべき歯冠形態をストリップス１８で再現できたら、複雑窩洞１３の内部に、新たなコンポジットレジン（ＣＲ）１９を注入する。そして、歯冠修復用チップ１は、新たなＣＲ１９により形成され修復された修復物内に埋入する（図５のステップＳ３８）。なお、新たなＣＲ１９は、歯間乳頭（歯と歯の間の歯肉部分）に近い側室底部から注入すると、緊密な充填を視認しやすい。
そして、適正な歯冠形態が得られたら、ストリップス１８を除去する。この時、適正なコンタクト圧に復元される。
【００３３】
（７）次に、咬合面から突出した把持部３を削合して除去する（図５のステップＳ３９）。そして、咬合面に追加のコンポジットレジン（ＣＲ）を充填して咬合面を修復する（図５のステップＳ４０）。なお、咬合面に充填するＣＲは流動性の低いもので、形態が付与しやすく、耐摩耗性に優れたものが望ましい。
（８）最後に、歯冠修復の通常処理工程により、咬合調整及び研磨といった後処理を行い（図５のステップＳ４１）、本発明に係る歯冠修復用チップ１を使用した歯冠修復の処理が終了する。
【００３４】
以上のように、歯冠修復用チップ１を使用して、隣在歯（第２小臼歯）１２へのコンタクト圧を調整しながら、適切なコンタクト圧に復元して、歯冠修復を行うことができる。しかも、既存のくさびや歯間離間器を使用することなく、簡便かつ確実に適切なコンタクト圧を獲得できる。
また、重合硬化されたコンポジットレジンで作製された歯冠修復用チップを、隣接面に開口した複雑窩洞の修復物として充填したコンポジットレジンの一部として修復するので、複雑窩洞を同質の材料による修復物で修復することができる。
【００３５】
［第２実施形態］
次に、添付図面を参照して本発明に係る冠修復用チップの第２実施形態を説明する。なお、図面の説明において第１実施形態と同一の要素には同一符号を付し、その重複した説明は省略する。
【００３６】
図６は、第２実施形態に係る歯冠修復用チップ１Ａ示す側面図である。図６に示すように、歯冠修復用チップ１Ａは、把持部３を無くし（図１参照）、主軸部２のヘッド部４の付け根に近い部分を、把持し易いように軸径を小さく（細く）した形態の径小部６を設けている。その他は、図１に示す歯冠修復用チップ１と同様の形態にしている。
なお、径小部６は、軸の全周に亘って径を小さくするのではなく、径の両側部分だけを削って径を小さくして把持し易い形態にしてもよい。
また、径小部６は設けず、主軸部２の全体の軸径を同じにしてもよい。
このような形態にすることで、把持部３（図１参照）を除去する必要がなくなるので、その分の歯冠修復の処理工程を省くことができる。
【００３７】
［第３実施形態］
次に、添付図面を参照して本発明に係る冠修復用チップの第３実施形態を説明する。なお、図面の説明において第１実施形態と同一の要素には同一符号を付し、その重複した説明は省略する。
【００３８】
図７は、第３実施形態に係る歯冠修復用チップ１Ｂを示す斜視図である。図７に示すように、歯冠修復用チップ１Ｂは、把持部２３と主軸部２との接合部７の径の第１方向Ｄを薄くした形態にして、把持部３に対して第１方向Ｄに力を加えたときに、把持部３が接合部７で折れ易くなるようしている。また、把持部３の接合部７における第１方向Ｄに直交する第２方向Ｅの径は薄くせずに、第２方向Ｅに対しては把持部３の接合部７における強度を保つようにしている。
【００３９】
なお、第１方向Ｄは、歯冠修復用チップ１Ｂを複雑窩洞１３にセットしたときに、第１大臼歯１１の頬舌方向（すなわち、歯の並び方向に対して直交する方向）に相当し、第２方向Ｅは、近遠心方向（すなわち、歯の並び方向）に相当する。
このような形態にすることで、歯冠修復用チップ１Ｂを隣存歯に圧接する際、把持部２３を把持して歯冠修復用チップ１を第２方向（近遠心方向）Ｅに加圧するときには把持部２３の接合部７における強度を保つことができる。また、歯冠修復用チップ１Ｂを修復物内に埋入するときには、把持部２３に対して第１方向（頬舌方向）Ｄに力を加えて、不要となった把持部２３を折って除去することができる。
【００４０】
［第４実施形態］
次に、添付図面を参照して本発明に係る冠修復用チップの第４実施形態を説明する。なお、図面の説明において第１実施形態と同一の要素には同一符号を付し、その重複した説明は省略する。
【００４１】
図８は、第４実施形態に係る歯冠修復用チップ１Ｃを示す斜視図である。図８に示すように、歯冠修復用チップ１Ｃは、図１に示す主軸部２の代わりにアングル付き主軸部８にしている。このアングル付き主軸部８は、軸の長手方向のほぼ中間部分に、例えば、１５〜３０度程度のアングル（角度）を持たせて曲った形態にしている。
【００４２】
なお、アングルの方向や角度は、複雑窩洞の各種の形状や大きさなどに対応できるように、多様な方向や角度にすることが望ましい。また、アングル付き主軸部８の曲がり方は、角度を有する２つの真っ直ぐな部分からなる形態だけなく、全体に曲線状（円弧状）に曲った形態にしてもよい。
このような形態にすることで、複雑窩洞の各種の形状や大きさのものに対応して、歯冠修復用チップ１Ｃを修復物内に埋め入れることができ、それにより、適切なコンタクト圧にすることができる。
【００４３】
以上のように、本発明に係る歯冠修復用チップによれば、歯冠修復において、ストリップスを使用して隣接面の歯冠形態を再現する以前の工程で、ストリップスを使用することなく、隣在歯とのコンタクトポイントを、コンポジットレジンで適切に修復するために必要なチップ（歯冠修復補助部材）を提供できる。
【００４４】
また、本発明に係る歯冠修復用チップを使用した歯冠修復方法によれば、咬合面から隣接面にかけて開口した複雑窩洞にコンポジットレジンを充填して歯冠修復する際に、隣在歯とのコンタクトポイントでの適切なコンタクト圧を簡単かつ確実に再現することができる。しかも、既存のくさびや歯間離間器を使用しないので、くさびや歯間離間器が歯間乳頭に接触することによる出血の可能性もなくなり、これにより、出血による精密なＣＲ充填ができなくなるといったことも回避できる。
【００４５】
＜変形例＞
なお、本発明に係る歯冠修復用チップは、コンポジットレジンにて作製することに限らず、例えば、ハイブリッドセラミックレジン（レジン混入材料）など、その他のレジン（プラスチック）材料などの窩洞に充填する充填剤（修復物）と同質の材料で作製してもよい。
【００４６】
また、歯冠修復用チップの形態は、上記した第１ないし４実施形態に限らず、少なくとも主軸部の一端部に丸みを帯びたヘッド部を有し、把持部を備えた、その他の形態としてもよい。
更に、主軸部２の長さは、大臼歯の近遠心方向の幅の解剖学上の平均値の１／２程度に限らず、２／５や３／５程度の、その他の長さとしてもよい。
更にまた、図１に示す歯冠修復用チップ１において、主軸部２の他端部側（自由端５のある側）の端部に把持部３を立設するようにして、自由端５が無いＬ字型チップにしてもよい。
【符号の説明】
【００４７】
１，１Ａ，１Ｂ，１Ｃ  歯冠修復用チップ（コンタクトチップ）
２  主軸部
３，２３  把持部
４  ヘッド部
５  自由端
６  径小部
７  接合部
８  アングル付き主軸部
１１  第１大臼歯（患歯）
１２  第２小臼歯（隣在歯）
１３  複雑窩洞
１３ａ  窩底面
１４，１９  コンポジットレジン（ＣＲ）
１５  根充用ピンセット
１６  コンタクトポイント（押圧点）
１７  ピンセット
１８  ストリップス
Ａ  近遠心方向
Ｂ  遠心方向
Ｃ  近心方向
Ｄ  第１方向（頬舌方向）
Ｅ  第２方向（近遠心方向）
【図１】
2014018466.tif 000003
【図２】
2014018466.tif 000004
【図３】
2014018466.tif 000005
【図４】
2014018466.tif 000006
【図５】
2014018466.tif 000007
【図６】
2014018466.tif 000008
【図７】
2014018466.tif 000009
【図８】
2014018466.tif 000010